【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
スケジュール情報を蓄積する蓄積部と、前記スケジュール情報に対応する番組内容が、割り当てられた送出帯域内に収まるかを判断し、納まらない場合、帯域内に収まるよう番組内容の一部をカットし送出量の調整を行う帯域調整部と、を備えることを特徴とする番組制御情報生成装置。
【請求項２】
前記帯域調整部は、番組内容の最後からカットすることを特徴とする請求項１記載の番組制御情報生成装置。
【請求項３】
前記帯域調整部は、複数のサービスがある場合、掲載期間の長いサービスのデータからカットすることを特徴とする請求項１記載の番組制御情報生成装置。
【請求項４】
前記帯域調整部は、情報量の多い番組内容からカットすることを特徴とする請求項１記載の番組制御情報生成装置。
【請求項５】
番組の識別情報を含む番組情報および番組のスケジュール情報と所定の優先度に基づき、重複している番組のスケジュール情報に対して優先度の高い順にスケジュールを割り当てるスケジュール調整部を更に備え、
蓄積部は前記スケジュール調整部によって調整されたスケジュール情報を蓄積することを特徴とする請求項１から４に記載の番組制御情報生成装置。
【請求項６】
前記スケジュール調整部は、優先度を番組の放送日に応じて設定することを特徴とする請求項５記載の番組制御情報生成装置。
【請求項７】
前記スケジュール調整部は、優先度を番組スケジュールの登録順に応じて設定することを特徴とする請求項５記載の番組制御情報生成装置。
【請求項８】
前記スケジュール調整部は、入力されたスケジュール情報のキャンセル行われた場合、再度、優先度に基づきスケジュール調整を行うことを特徴とする請求項５記載の番組制御情報生成装置。
【請求項９】
スケジュール情報に対応する番組内容が割り当てられた送出帯域内に収まるかを判断し、納まらない場合、帯域内に収まるよう番組内容の一部をカットし送出量の調整を行う番組制御情報生成方法。
【請求項１０】
前記送出量の調整は、番組内容の最後からカットすることを特徴とする請求項９記載の番組制御情報生成方法。
【請求項１１】
前記送出量の調整は、複数のサービスがある場合、掲載期間の長いサービスのデータからカットすることを特徴とする請求項９記載の番組制御情報生成方法。
【請求項１２】
前記送出量の調整は、情報量の多い番組内容からカットすることを特徴とする請求項９記載の番組制御情報生成方法。
【手続補正２】
【補正対象書類名】明細書
【補正対象項目名】０００８
【補正方法】変更
【補正の内容】
【０００８】
この課題を解決するために本発明は、第１に、番組制御情報生成装置において、スケジュール情報を蓄積する蓄積部と、前記スケジュール情報に対応する番組内容が、割り当てられた送出帯域内に収まるかを判断し、納まらない場合、帯域内に収まるよう番組情報の一部をカットし送出量の調整を行う帯域調整部と、を備えたことである。これにより、重複したスケジュールが入力された場合や帯域をオーバーした情報が入力された場合においても、エラーなく番組制御情報を送出することができる。
【手続補正３】
【補正対象書類名】明細書
【補正対象項目名】０００９
【補正方法】変更
【補正の内容】
【０００９】
第２に、番組制御情報生成装置において、前記帯域調整部は、番組内容の最後からカットすることである。これにより、番組内容中、重要度が高い情報を最初に書いておくことでユーザにとってより重要な情報は担保しつつ、周期を変えずに番組制御情報の送出が行える。
【手続補正４】
【補正対象書類名】明細書
【補正対象項目名】００１０
【補正方法】変更
【補正の内容】
【００１０】
第3に、番組制御情報生成装置において、前記帯域調整部は、複数のサービスがある場合、掲載期間の長いサービスのデータからカットすることである。これにより、番組確定度が低い放送開始時刻が後ろの番組の番組情報からカットしていくことでユーザにとってより閲覧可能性の高い情報は担保しつつ、周期を変えずに番組制御情報の送出が行える。
【手続補正５】
【補正対象書類名】明細書
【補正対象項目名】００１１
【補正方法】変更
【補正の内容】
【００１１】
第４に、番組制御情報生成装置において、前記帯域調整部は、情報量の多い番組内容からカットすることである。これにより、ユーザにとってより重要な情報は担保しつつ、周期を変えずに番組制御情報の送出が行える。
【手続補正６】
【補正対象書類名】明細書
【補正対象項目名】００１２
【補正方法】変更
【補正の内容】
【００１２】
第５に、番組制御情報生成装置において、番組の識別情報を含む番組情報および番組のスケジュール情報と所定の優先度に基づき、重複している番組のスケジュール情報に対して優先度の高い順にスケジュールを割り当てるスケジュール調整部を更に備え、
蓄積部は前記スケジュール調整部によって調整されたスケジュール情報を蓄積することである。これにより、番組内容中、重複している番組のスケジュール情報に対して優先度の高い順にスケジュールを割り当てることでユーザにとってより重要な情報は担保しつつ、周期を変えずに番組制御情報の送出が行える。
【手続補正７】
【補正対象書類名】明細書
【補正対象項目名】００１３
【補正方法】変更
【補正の内容】
【００１３】
第６に、番組制御情報生成装置において、前記スケジュール調整部は、優先度を番組の放送日に応じて設定することである。これにより、優先度の高い番組に応じて設定することでユーザにとってより閲覧可能性の高い情報は担保しつつ、周期を変えずに番組制御情報の送出が行える。
【手続補正８】
【補正対象書類名】明細書
【補正対象項目名】００１４
【補正方法】変更
【補正の内容】
【００１４】
第７に、番組制御情報生成装置において、前記スケジュール調整部は、優先度を番組スケジュールの登録順に応じて設定することである。これにより、優先度を番組スケジュールの登録順に応じて設定することでユーザにとってより重要な情報は担保しつつ、周期を変えずに番組制御情報の送出が行える。
【手続補正９】
【補正対象書類名】明細書
【補正対象項目名】００１５
【補正方法】変更
【補正の内容】
【００１５】
第８に、番組制御情報生成装置において、前記スケジュール調整部は、入力されたスケジュール情報のキャンセル行われた場合、再度、優先度に基づきスケジュール調整を行うことである。これにより、キャンセルされた場合再度優先度に基づいて調整することでユーザにとってより閲覧可能性の高い情報は担保しつつ、周期を変えずに番組制御情報の送出が行える。
【手続補正１０】
【補正対象書類名】明細書
【補正対象項目名】００１６
【補正方法】変更
【補正の内容】
【００１６】
第９に、スケジュール情報に対応する番組内容が割り当てられた送出帯域内に収まるかを判断し、納まらない場合、帯域内に収まるよう番組内容の一部をカットし送出量の調整を行うことである。これにより、複数の編集端末からの番組の追加や削除、変更があっても必ずスケジュール調整を可能とすることができる。
第１０に、番組制御情報生成方法において、前記送出量の調整は、番組内容の最後からカットすることを特徴とすることである。これにより、番組内容中、重要度が高い情報を最初に書いておくことでユーザにとってより重要な情報は担保しつつ、周期を変えずに番組制御情報の送出が行える。
第１１に、番組制御情報生成方法において、複数のサービスがある場合、前記送出量の調整において、掲載期間の長いサービスのデータからカットすることである。番組確定度が低い放送開始時刻が後ろの番組の番組情報からカットしていくことでユーザにとってより閲覧可能性の高い情報は担保しつつ、周期を変えずに番組制御情報の送出が行える。
第１２に、番組制御情報生成方法の前記送出量の調整において、情報量の多い番組内容からカットすることである。これにより、ユーザにとってより重要な情報は担保しつつ、周期を変えずに番組制御情報の送出が行える。